【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
ワイヤレス通信における制御リソースプールを管理するための方法において、
ユーザ機器（ＵＥ）において、ネットワークエンティティから代替リソースプール情報信号を受信し、前記代替リソースプール情報信号は、ワイヤレス通信中に送信のために使用される、前記制御リソースプールとデータリソースプールとを有するリソースプールの構成に対応し、前記データリソースは、前記制御リソース間でインターリーブされることと、
前記ＵＥにおいて、前記代替リソースプール情報信号に基づいて、前記制御リソースプールの第１の周波数部分から第１の制御リソースを選択することと、
前記ＵＥにおいて、前記制御リソースプールの前記第１の周波数部分からの前記第１の制御リソースを送信することと、
前記ＵＥにおいて、前記第１の制御リソースに基づいて、前記制御リソースプールの第２の周波数部分から第２の制御リソースを選択することと、
前記ＵＥにおいて、前記制御リソースプールの前記第２の周波数部分からの前記第２の制御リソースを送信することとを含む方法。
【請求項２】
前記第２の制御リソースの前記送信後、前記データリソースプールからの１つ以上のデータリソースを送信することをさらに含む請求項１記載の方法。
【請求項３】
前記１つ以上のデータリソースを復号化するための復号化情報が、前記制御リソースプールから取得される請求項２記載の方法。
【請求項４】
前記第２の制御リソースに基づいて、前記１つ以上のデータリソースに対するタイミングオフセットを計算することをさらに含む請求項２記載の方法。
【請求項５】
前記制御リソースプールと前記１つ以上のデータリソースは、インターリーブされたサブフレームと時分割多重化される（ＴＤＭされる）請求項２記載の方法。
【請求項６】
前記制御リソースプールと前記１つ以上のデータリソースは、周波数分割多重化される（ＦＤＭされる）請求項２記載の方法。
【請求項７】
前記ＵＥと前記ネットワークエンティティは、ロングタームエボリューション−ダイレクト（ＬＴＥ−Ｄ）ネットワークにおいて動作する請求項１記載の方法。
【請求項８】
前記第１の周波数部分は、前記制御リソースプールの上部周波数部分に対応し、前記第２の周波数部分は、前記制御リソースプールの下部周波数部分に対応する請求項１記載の方法。
【請求項９】
ワイヤレス通信における制御リソースプールを管理する装置において、
ユーザ機器（ＵＥ）において、ネットワークエンティティから代替リソースプール情報信号を受信し、前記代替リソースプール情報信号は、ワイヤレス通信中に送信のために使用される、前記制御リソースプールとデータリソースプールとを有するリソースプールの構成に対応し、前記データリソースは、前記制御リソース間でインターリーブされる手段と、
前記代替リソースプール情報信号に基づいて、前記制御リソースプールの第１の周波数部分から第１の制御リソースを選択する手段と、
前記制御リソースプールの前記第１の周波数部分からの前記第１の制御リソースを送信する手段と、
前記第１の制御リソースに基づいて、前記制御リソースプールの第２の周波数部分から第２の制御リソースを選択する手段と、
前記制御リソースプールの前記第２の周波数部分からの前記第２の制御リソースを送信する手段とを具備する装置。
【請求項１０】
ワイヤレス通信におけるリソースプールを管理するための方法において、
代替リソースプール情報信号をネットワークエンティティから１つ以上のユーザ機器（ＵＥ）に送信し、前記代替リソースプール情報信号は、ワイヤレス通信中に、制御リソースとデータリソースを送信するためのリソースプールの構成に対応し、前記データリソースは、前記制御リソース間でインターリーブされることと、
前記ネットワークエンティティにおいて、前記１つ以上のＵＥのうちの少なくとも１つから１つ以上の信号を受信し、前記１つ以上の信号は、前記代替リソースプール情報信号に基づいて修正された、制御リソースとデータリソースのうちの１つまたは両方に対応することとを含む方法。
【請求項１１】
前記制御リソースは、上部周波数部分と下部周波数部分を含む請求項１０記載の方法。
【請求項１２】
前記上部周波数部分は、負の周波数部分であり、前記下部周波数部分は、正の周波数部分である請求項１１記載の方法。
【請求項１３】
前記リソースプールの前記構成は、前記リソースプール内の繰り返しビットマップを使用してシグナリングされる請求項１０記載の方法。
【請求項１４】
前記リソースプールの前記構成は、制御とデータのオフセットに対して、複数の無線ベアラ（ＲＢ）を使用してシグナリングされる請求項１０記載の方法。
【請求項１５】
ワイヤレス通信におけるリソースプールを管理するための装置において、
代替リソースプール情報信号を１つ以上のユーザ機器（ＵＥ）に送信し、前記代替リソースプール情報信号は、ワイヤレス通信中に、制御リソースとデータリソースを送信するためのリソースプールの構成に対応し、前記データリソースは、前記制御リソース間でインターリーブされる手段と、
前記１つ以上のＵＥのうちの少なくとも１つから１つ以上の信号を受信し、前記１つ以上の信号は、前記代替リソースプール情報信号に基づいて修正された、制御リソースとデータリソースのうちの１つまたは両方に対応する手段とを具備する装置。
【手続補正２】
【補正対象書類名】明細書
【補正対象項目名】００７６
【補正方法】変更
【補正の内容】
【００７６】
[0087］先の説明は、当業者に、本明細書に説明された様々な態様の実現を可能にさせるために提供されている。これらの態様への様々な変更は、当業者には容易に明らかになり、本明細書で定義される包括的な本質は他の態様に適用され得る。よって、請求項は本明細書で表示される態様に限定されることは意図されておらず、しかし特許請求の範囲の用語と一貫する全ての範囲が与えられるべきであり、ここにおいて単数形の要素への参照は特別にそのように述べられない限り「１つおよびただ１つ」を意味するように意図されず、むしろ「１つ以上の」を意味するように意図される。そうでないことが特に述べられていない限り、「いくつかの」という用語は、１つ以上のことを指している。当業者に対して既知である、あるいは後に既知となる本開示において説明された様々な態様の要素に対する全ての構造的および機能的な均等物は、参照によって本明細書に明確に組み込まれ、特許請求の範囲によって包含されるよう意図される。さらに、本明細書において開示されたものが、特許請求の範囲中に明示的に列挙されているか否かにかかわらず、公共に捧げられることを意図していない。どの特許請求項の範囲の要素も、要素が明確に「のための手段」というフレーズを使用して記載されていない限り、手段プラス機能（means plus function）として解釈されるべきではない。
以下に、本願出願の当初の特許請求の範囲に記載された発明を付記する。
［１］  ワイヤレス通信における制御リソースプールを管理するための方法であって、
ユーザ機器（ＵＥ）において、代替的リソースプール情報信号をネットワークエンティティから受信することと、ここにおいて、前記代替的リソースプール情報信号は、ワイヤレス通信の最中に送信のために使用される、前記制御リソースプールとデータリソースプールとを有するリソースプールの構成に対応する、
前記ＵＥにおいて、前記代替的リソースプール情報信号に基づいて、第１の制御リソースを前記制御リソースプールの第１の周波数部分から選択することと、
前記ＵＥにおいて、前記制御リソースプールの前記第１の周波数部分からの前記第１の制御リソースを送信することと、
前記ＵＥにおいて、前記第１の制御リソースに基づいて、第２の制御リソースを前記制御リソースプールの第２の周波数部分から選択することと、
前記ＵＥにおいて、前記制御リソースプールの前記第２の周波数部分からの前記第２の制御リソースを送信することとを備える方法。
［２］  前記第２の制御リソースの前記送信後、前記データリソースプールからの１つ以上のデータリソースを送信することをさらに備える、［１］の方法。
［３］  １つ以上のデータリソースを復号化するための復号化情報が、前記制御リソースプールから取得される、［２］の方法。
［４］  前記第２の制御リソースに基づいて、前記１つ以上のデータリソースのためのタイミングオフセットを計算することをさらに備える、［２］の方法。
［５］  前記制御リソースプールおよび前記１つ以上のデータリソースは、インターリーブされたサブフレームと時分割多重化される（ＴＤＭされる）、［２］の方法。
［６］  前記制御リソースプールおよび前記１つ以上のデータリソースは、周波数分割多重化される（ＦＤＭされる）、［２］の方法。
［７］  前記ＵＥおよび前記ネットワークエンティティは、ロングタームエボリューション−ダイレクト（ＬＴＥ−Ｄ）ネットワークにおいて動作する、［１］の方法。
［８］  前記第１の周波数部分は、前記制御リソースプールの上部周波数部分に対応し、前記第２の周波数部分は、前記制御リソースプールの下部周波数部分に対応する、［１］の方法。
［９］  ワイヤレス通信における制御リソースプールを管理するための装置であって、
命令を記憶するように構成されたメモリと、
前記メモリと通信的に結合された１つ以上のプロセッサとを備え、
ここにおいて、前記１つ以上のプロセッサは、
ユーザ機器（ＵＥ）において、代替的リソースプール情報信号をネットワークエンティティから受信し、ここにおいて、前記代替的リソースプール情報信号は、ワイヤレス通信の最中に送信のために使用される、前記制御リソースプールとデータリソースプールとを有するリソースプールの構成に対応する、
前記代替的リソースプール情報信号に基づいて、第１の制御リソースを前記制御リソースプールの第１の周波数部分から選択し、
前記制御リソースプールの前記第１の周波数部分からの前記第１の制御リソースを送信し、
前記第１の制御リソースに基づいて、第２の制御リソースを前記制御リソースプールの第２の周波数部分から選択し、
前記制御リソースプールの前記第２の周波数部分からの前記第２の制御リソースを送信すべく、前記命令を実施するように構成される装置。
［１０］  前記１つ以上のプロセッサが、前記第２の制御リソースの前記送信後、前記データリソースプールからの１つ以上のデータリソースを送信するようにさらに構成される、［９］の装置。
［１１］  前記１つ以上のデータリソースを復号化するための復号化情報が、前記制御リソースプールから取得される、［１０］の装置。
［１２］  前記１つ以上のプロセッサが、前記第２の制御リソースに基づいて、前記１つ以上のデータリソースのためのタイミングオフセットを計算するようにさらに構成される、［１０］の装置。
［１３］  前記制御リソースプールおよび前記１つ以上のデータリソースは、インターリーブされたサブフレームと時分割多重化される（ＴＤＭされる）、［１０］の装置。
［１４］  前記制御リソースプールおよび前記１つ以上のデータリソースは、周波数分割多重化される（ＦＤＭされる）、［１０］の装置。
［１５］  前記ＵＥおよび前記ネットワークエンティティは、ロングタームエボリューション−ダイレクト（ＬＴＥ−Ｄ）ネットワークにおいて動作する、［９］の装置。
［１６］  前記第１の周波数部分は、前記制御リソースプールの上部周波数部分に対応し、前記第２の周波数部分は、前記制御リソースプールの下部周波数部分に対応する、［９］の装置。
［１７］  ワイヤレス通信におけるリソースプールを管理するための方法であって、
ネットワークエンティティから、代替的リソースプール情報信号を１つ以上のユーザ機器（ＵＥ）に送信することと、ここにおいて、前記代替的リソースプール情報信号は、ワイヤレス通信の最中に、制御リソースおよびデータリソースを送信するためのリソースプールの構成に対応する、
前記ネットワークエンティティにおいて、１つ以上の信号を前記１つ以上のＵＥのうちの少なくとも１つから受信することと、ここにおいて、前記１つ以上の信号は、前記代替的リソースプール情報信号に基づいて修正された、制御リソースおよびデータリソースのうちの１つまたは両方に対応する、を備える方法。
［１８］  前記制御リソースは、上部周波数部分および下部周波数部分を含む、［１７］の方法。
［１９］  前記上部周波数部分は、負の周波数部分であり、前記下部周波数部分は、正の周波数部分である、［１８］の方法。
［２０］  前記リソースプールの前記構成は、前記リソースプール内の繰り返しビットマップを使用してシグナリングされる、［１７］の方法。
［２１］  前記リソースプールの前記構成は、制御およびデータのオフセットのための複数の無線ベアラ（ＲＢ）を使用してシグナリングされる、［１７］の方法。
［２２］  前記制御リソースおよびデータリソースは、インターリーブされたサブフレームと時分割多重化される（ＴＤＭされる）、または、周波数分割多重化される（ＦＤＭされる）、のうちの少なくとも１つである、［１７］の方法。
［２３］  前記１つ以上のＵＥおよび前記ネットワークエンティティは、ロングタームエボリューション−ダイレクト（ＬＴＥ−Ｄ）ネットワークにおいて動作する、［１７］の方法。
［２４］  ワイヤレス通信におけるリソースプールを管理するための装置であって、
代替的リソースプール情報信号を１つ以上のユーザ機器（ＵＥ）に送信し、ここにおいて、前記代替的リソースプール情報信号は、ワイヤレス通信の最中に、制御リソースおよびデータリソースを送信するためのリソースプールの構成に対応する、
１つ以上の信号を前記１つ以上のＵＥのうちの少なくとも１つから受信する、ここにおいて、前記１つ以上の信号は、前記代替的リソースプール情報信号に基づいて修正された、制御リソースおよびデータリソースのうちの１つまたは両方に対応する、ように構成された通信コンポーネントを備える装置。
［２５］  前記制御リソースは、上部周波数部分および下部周波数部分を含む、［２４］の装置。
［２６］  前記上部周波数部分は、負の周波数部分であり、前記下部周波数部分は、正の周波数部分である、［２５］の装置。
［２７］  前記リソースプールの前記構成は、前記リソースプール内の繰り返しビットマップを使用してシグナリングされる、［２４］の装置。
［２８］  前記リソースプールの前記構成は、制御およびデータのオフセットのための複数の無線ベアラ（ＲＢ）を使用してシグナリングされる、［２４］の装置。
［２９］  前記制御リソースおよびデータリソースは、インターリーブされたサブフレームと時分割多重化される（ＴＤＭされる）、または、周波数分割多重化される（ＦＤＭされる）、のうちの少なくとも１つである、［２４］の装置。
［３０］  前記１つ以上のＵＥおよび前記ネットワークエンティティは、ロングタームエボリューション−ダイレクト（ＬＴＥ−Ｄ）ネットワークにおいて動作する、［２４］の装置。